(57)【要約】【課題】  防火性能を有するカーテンウォールの提供。【解決手段】  方立１，１，…とスチール製縦枠２とを備え、左右の方立１，１の室外側部間にガラス３又はガラス３を入れた障子３９が保持してあり、スチール製縦枠２は、方立１の室内側面に取付けてあり、左右の方立１，１に取付けたスチール製縦枠２，２間に網入りガラス４又は網入りガラス４を入れたスチール製障子３４が保持してある。【選択図】      図１
2020186574.tif 000002
【特許請求の範囲】
【請求項１】
方立とスチール製縦枠とを備え、左右の方立の室外側部間にガラス又はガラスを入れた障子が保持してあり、スチール製縦枠は、方立の室内側面に取付けてあり、左右の方立に取付けたスチール製縦枠間に網入りガラス又は網入りガラスを入れたスチール製障子が保持してあることを特徴とするカーテンウォール。
【請求項２】
方立とスチール製縦枠とを備え、左右の方立の室外側部間にガラス又はガラスを入れた障子が保持してあり、方立の中空部内にスチール製の補強材を有し、スチール製縦枠は、方立の見込面に取付けてあり、左右の方立に取付けたスチール製縦枠間に網入りガラス又は網入りガラスを入れたスチール製障子が保持してあることを特徴とするカーテンウォール。
【発明の詳細な説明】
【技術分野】
【０００１】
本発明は、カーテンウォールに関する。
【背景技術】
【０００２】
従来より、方立と無目とからなる開口部にガラスを嵌め込んだカーテンウォールが知られている（例えば、非特許文献１参照。）。かかるカーテンウォールは、防火性能を有しておらず、防火性能を有するものが求められた。
【先行技術文献】
【非特許文献】
【０００３】
【非特許文献１】三協立山株式会社 三協アルミ社発行のカタログ「カーテンウォール 総合カタログ」（カタログＮｏ．ＳＴＢ０２６１Ｉ  ＹＰ．１５．０７−０３０）、２０１５年７月、ｐ．２６
【発明の概要】
【発明が解決しようとする課題】
【０００４】
本発明は以上に述べた実情に鑑み、防火性能を有するカーテンウォールの提供を目的とする。
【課題を解決するための手段】
【０００５】
上記の課題を達成するために請求項１記載の発明によるカーテンウォールは、方立とスチール製縦枠とを備え、左右の方立の室外側部間にガラス又はガラスを入れた障子が保持してあり、スチール製縦枠は、方立の室内側面に取付けてあり、左右の方立に取付けたスチール製縦枠間に網入りガラス又は網入りガラスを入れたスチール製障子が保持してあることを特徴とする。
【０００６】
請求項２記載の発明によるカーテンウォールは、方立とスチール製縦枠とを備え、左右の方立の室外側部間にガラス又はガラスを入れた障子が保持してあり、方立の中空部内にスチール製の補強材を有し、スチール製縦枠は、方立の見込面に取付けてあり、左右の方立に取付けたスチール製縦枠間に網入りガラス又は網入りガラスを入れたスチール製障子が保持してあることを特徴とする。
【発明の効果】
【０００７】
請求項１記載の発明によるカーテンウォールは、方立とスチール製縦枠とを備え、左右の方立の室外側部間にガラス又はガラスを入れた障子が保持してあり、スチール製縦枠は、方立の室内側面に取付けてあり、左右の方立に取付けたスチール製縦枠間に網入りガラス又は網入りガラスを入れたスチール製障子が保持してあることで、防火性能を有するカーテンウォールを形成することができる。
【０００８】
請求項２記載の発明によるカーテンウォールは、方立とスチール製縦枠とを備え、左右の方立の室外側部間にガラス又はガラスを入れた障子が保持してあり、方立の中空部内にスチール製の補強材を有し、スチール製縦枠は、方立の見込面に取付けてあり、左右の方立に取付けたスチール製縦枠間に網入りガラス又は網入りガラスを入れたスチール製障子が保持してあることで、防火性能を有するカーテンウォールを形成することができる。
【図面の簡単な説明】
【０００９】
【図１】図３のＡ−Ａ断面図である。
【図２】図３のＢ−Ｂ断面図である。
【図３】本発明のカーテンウォールの第１実施形態を示す室外側正面図である。
【図４】本発明のカーテンウォールの第２実施形態を示す横断面図である。
【図５】同カーテンウォールの縦断面図である。
【図６】本発明のカーテンウォールの第３実施形態を示す横断面図である。
【図７】同カーテンウォールの縦断面図である。
【図８】本発明のカーテンウォールの第４実施形態を示す横断面図である。
【図９】同カーテンウォールの縦断面図である。
【図１０】本発明のカーテンウォールの第５実施形態を示す横断面図である。
【図１１】同カーテンウォールの縦断面図である。
【図１２】本発明のカーテンウォールの第６実施形態を示す横断面図である。
【図１３】同カーテンウォールの縦断面図である。
【発明を実施するための形態】
【００１０】
以下、本発明の実施の形態を図面に基づいて説明する。図１〜３は、本発明のカーテンウォールの第１実施形態（請求項１記載の発明の実施形態）を示している。本カーテンウォールは、ビルの外壁を成すものであって、図３に示すように、躯体（図示省略）に固定して複数本の方立１，１，…が左右方向に間隔をおいて設けてあり、方立１，１，…間に無目６ａ，６ｂが上下方向に間隔をおいて取付けてある。本カーテンウォールは、図２に示すように、居住空間に対向するビジョン部７と、上下階の境界部分に対向するスパンドレル部８とを有している。ビジョン部７とスパンドレル部８は、上下方向に交互に配置されている。
【００１１】
方立１は、アルミ形材よりなり、図１に示すように、室内側に矩形断面の本体部９を有し、本体部９の室外側にＴ字形を成すように見込壁１０と見付壁１１を有している。見込壁１０の右側と左側には取付溝１２ａ，１２ｂが形成してあり、室外側から見て右側の取付溝１２ａの方が左側の取付溝１２ｂよりも深くなっている。方立１は、ビジョン部７とスパンドレル部８にまたがって連続して形成され、躯体に図示しないファスナで固定してある。
【００１２】
図１に示すように、ビジョン部７においては、隣り合う左右の方立１，１の室外側の取付溝１２ａ，１２ｂにガラス（複層ガラス）３の左右端部を挿入し、取付溝１２ａ，１２ｂ内のガラス３の室内側に押縁１３ａ，１３ｂを取付け、押縁１３ａ，１３ｂの室外側面とガラス３の室内側面との間、方立１の見付壁１１とガラスの３室外側面との間にシール材１４を充填して、ガラス３を保持してある。
また、ビジョン部７においては、方立１の室内側面にスチール製縦枠２が長手方向に沿って取付けてある。スチール製縦枠２は、左右両側にガラス取付溝１５，１５を有し、中央部を方立１の室内側面にネジ３０で固定してある。ガラス取付溝１５には、網入りガラス４の左右方向の端部が挿入され、ガスケット１６とシール材１７により保持されている。スチール製縦枠２は、方立１と同じ見付寸法になっている。また、スチール製縦枠２は、方立１の左右両側の網入りガラス４，４の端部を一体で保持している。
【００１３】
図２に示すように、ビジョン部７の下側（スパンドレル部８の上側）に位置する無目６ｂは、室内側に中空部１８を有し、室外側に押縁１９ａ，１９ｂが取付けてあり、上向きに開口したガラス保持溝２０ａと下向きに開口したガラス保持溝２０ｂが構成されている。上向きに開口したガラス保持溝２０ａには、ビジョン部７のガラス３の下端部が挿入され、ガラス３の室外側及び室内側にシール材を２１充填してガラス３を固定してある。下向きに開口したガラス保持溝に２０ｂは、スパンドレル部８のガラス２２の上端部が挿入され、室内側をガスケット２３で受け、室外側にシール材２４を充填してガラス２２を固定してある。
ビジョン部７の上側（スパンドレル部８の下側）に位置する無目６ａは、上述したビジョン部７下側の無目６ｂと略同じ形になっており、下向きに開口したガラス保持溝２０ｂにビジョン部７のガラス３の上端部を挿入し、室外側及び室内側にシール材２５を充填してガラス３を固定し、上向きに開口したガラス保持溝２０ａにスパンドレル部８のガラス２２の下端部を挿入し、室外側及び室内側にシール材３１を充填してガラス２２を固定してある。
【００１４】
ビジョン部７の上側に位置する無目６ａの室内側面には、スチール製の額縁２６ａが無目６ａの下面より室内側に連続するように設けてある。ビジョン部７の下側に位置する無目６ｂの室内側面には、スチール製の額縁２６ｂが無目６ｂの上面より室内側に連続するように設けてある。上側の額縁６ａの下面と下側の額縁６ｂの上面にはスチール製横枠２７ａ，２７ｂが取付けてあり、スチール製横枠２７ａ，２７ｂに網入りガラス４の上端部及び下端部が保持されている。
【００１５】
このように本カーテンウォールのビジョン部７は、方立１，１，…の室内側面にスチール縦枠２を取付け、無目６ａ，６ｂの室内側面にスチール製の額縁２６ａ，２６ｂを取付け、スチール製の額縁２６ａ，２６ｂにスチール製横枠２７ａ，２７ｂを取付け、左右の方立１，１のスチール製縦枠２，２とスチール製横枠２７ａ，２７ｂに支持して網入りガラス４を取付けてあることで、防火性能を有するものとなっている。
【００１６】
スパンドレル部８は、ビジョン部７と同様に、左右の方立１，１の室外側部間にガラス２２が保持してあると共に、図２に示すように、ガラス２２の室内側に耐火ボード２８を取付けてある。さらにスパンドレル部８は、室内側を耐火性の被覆材２９で被覆してある。これにより、スパンドレル部８も防火性能を有するものとなっている。
【００１７】
次に、本カーテンウォールの施工手順を説明する。まず、方立１，１，…を躯体に取付ける。次に、方立１，１，…間に無目６ａ，６ｂを架設する。次に、方立１，１，…と無目６ａ，６ｂとで形成される開口部にガラス３，２２を取付ける。次に、ビジョン部７において方立１の室内側面にスチール製縦枠２を取付け、無目６ａ，６ｂの室内側面に額縁２６ａ，２６ｂを取付け、額縁２６ａ，２６ｂにスチール製横枠２７ａ，２７ｂを取付ける。次に、スチール製縦枠２，２とスチール製横枠２７ａ，２７ｂとで形成される開口部に網入りガラス４を取付ける。次に、スパンドレル部８のガラス２２の室内側に耐火ボード２８を取付ける。なお、上下のスチール製横枠２７ａ，２７ｂに網入りガラス４の上下端部を挿入した後で、スチール製縦枠２を方立１の室内側面に取付けることもできる。
【００１８】
図４，５は、本発明のカーテンウォールの第２実施形態（請求項１記載の発明の実施形態）を示している。本実施形態は、方立１の室内側面にスチール製縦枠２が取付けてあり、左右の方立１，１のスチール製縦枠２，２間に、網入りガラス４をスチール製の枠材３３で枠組みしてなるスチール製障子３４が支持金具３５で支持して室内側に開くように設けてある。
本実施形態のカーテンウォールは、スチール製障子３４を室内側に開くことで、ガラス３の室内側面と網入りガラス４の室外側面を掃除することができる。
【００１９】
図６，７は、本発明のカーテンウォールの第３実施形態（請求項１記載の発明の実施形態）を示している。本実施形態は、左右の方立１，１と無目６ａ，６ｂとで形成される開口部の室外側に窓ユニット４０が取付けてある。窓ユニット４０は、アルミ製の枠材３６を四周枠組みしてなる枠３７と、ガラス３をアルミ製の框３８で四周框組みして形成され枠３７内に開閉自在に支持した障子３９を有している。枠３７は、図６に示すように、左右の方立１，１の室外側の取付溝１２ａ，１２ｂに取付けてあって、障子３９は左右の方立１，１の室外側部間に保持されている。方立１の室内側面にはスチール製縦枠２が取付けてあり、左右の方立１，１のスチール製縦枠２，２間に、網入りガラス４を入れたスチール製障子３４が室内側に開くように設けてある。
本実施形態のカーテンウォールは、スチール製障子３４を室内側に開くことで、ガラス３の室内側面と網入りガラス４の室外側面を掃除できることに加え、障子３９を開けることで換気を行うことができる。
【００２０】
図８，９は、本発明のカーテンウォールの第４実施形態（請求項２記載の発明の実施形態）を示している。本実施形態は、図８に示すように、方立１の本体部９の中空部内にスチール製の補強材５が長手方向に沿って設けてある。方立１の本体部９の左右両側の見込面には、スチール製縦枠２，２が補強材５に螺入するネジ３２で取付けてあり、左右の方立１，１のスチール製縦枠２，２間に網入りガラス４が取付けてある。左右の方立１，１の室外側部間にガラス３が保持してある点、図９に示すように、ビジョン部７の上下の無目６ａ，６ｂの室内側面にスチール製の額縁２６ａ，２６ｂが取付けてあり、該額縁２６ａ，２６ｂにスチール製横枠２７ａ，２７ｂを取付け、スチール製横枠２７ａ，２７ｂに網入りガラス４の上下端部を支持している点は、第１実施形態と同様である。
【００２１】
図１０，１１は、本発明のカーテンウォールの第５実施形態（請求項２記載の発明の実施形態）を示している。本実施形態は、図１０に示すように、第４実施形態と同様に方立１の室内側の見込面にスチール製縦枠２が取付けてあり、左右の方立１，１のスチール製縦枠２，２間に、網入りガラス４をスチール製の枠材３３で枠組みしてなるスチール製障子３４が支持金具３５で支持して室内側に開くように設けてある。
本実施形態のカーテンウォールは、スチール製障子３４を室内側に開くことで、ガラス３の室内側面と網入りガラス４の室外側面を掃除することができる。
【００２２】
図１２，１３は、本発明のカーテンウォールの第６実施形態（請求項２記載の発明の実施形態）を示している。本実施形態は、左右の方立１，１と無目６ａ，６ｂとで形成される開口部の室外側に、枠３７と、枠３７内に開閉自在に支持した障子３９とからなる窓ユニット４０が取付けてある。障子３９は、左右の方立１，１の室外側部間に保持されている。方立１の見込面にはスチール製縦枠２が取付けてあり、左右の方立１，１のスチール製縦枠２，２間に、網入りガラス４をスチール製の枠材３３で枠組みしてなるスチール製障子３４が支持金具３５で支持して室内側に開くように設けてある。
本実施形態のカーテンウォールは、スチール製障子３４を室内側に開くことで、ガラス３の室内側面と網入りガラス４の室外側面を掃除できることに加え、障子３９を開けることで換気を行うことができる。
【００２３】
以上に述べたように本カーテンウォール（第１，２，３実施形態）は、方立１，１，…とスチール製縦枠２とを備え、左右の方立１，１の室外側部間にガラス３又はガラス３を入れた障子３９が保持してあり、スチール製縦枠２は、方立１の室内側面に取付けてあり、左右の方立１，１に取付けたスチール製縦枠２，２間に網入りガラス４又は網入りガラス４を入れたスチール製障子３４が保持してあることで、防火性能を有するカーテンウォールを形成することができる。本カーテンウォールは、通常のカーテンウォールの方立１にスチール製縦枠２等を取付けるだけで、簡単に防火性能を持たせることができ、施工性が良く、メンテナンスもしやすい。
本カーテンウォールは、スチール製縦枠２を方立１の室内側面に取付けたことで、スチール製縦枠２を方立１の見付寸法内に納めることができ、採光面積が狭くならない。また、第１実施形態のスチール製縦枠２は、方立１の左右両側の網入りガラス４，４の端部を一体で保持するようにしたので、部品数を少なくできると共に、網入りガラス４の取付け作業にかかる時間を短縮できる。
さらに本カーテンウォールは、上下の額縁２６ａ，２６ｂと、網入りガラス４を支持する上下の横枠２７ａ，２７ｂがスチール製であるため、方立１側だけでなく無目６ａ，６ｂ側から火炎が連通することも防止できる。
【００２４】
本カーテンウォール（第４，５，６実施形態）は、方立１，１，…とスチール製縦枠２とを備え、左右の方立１，１の室外側部間にガラス３又はガラス３を入れた障子３９が保持してあり、方立１の中空部内にスチール製の補強材５を有し、スチール製縦枠２は、方立１の見込面に取付けてあり、左右の方立１，１に取付けたスチール製縦枠２，２間に網入りガラス４又は網入りガラス４を入れたスチール製障子３４が保持してあることで、防火性能を有するカーテンウォールを形成することができる。本カーテンウォールは、通常のカーテンウォールの方立１にスチール製縦枠２等を取付けるだけで、簡単に防火性能を持たせることができ、施工性が良く、メンテナンスもしやすい。
本カーテンウォールは、スチール製縦枠２を方立１の見込面に取付けたことで、網入りガラス４も方立１の見込み内に取付くので、室内が狭くならない。
さらに本カーテンウォールは、上下の額縁２６ａ，２６ｂと、網入りガラス４を支持する上下の横枠２７ａ，２７ｂがスチール製であるため、方立１側だけでなく無目６ａ，６ｂ側から火炎が連通することも防止できる。
【００２５】
本発明は以上に述べた実施形態に限定されない。方立の材質や断面形状、スチール製縦枠の断面形状は、適宜変更することができる。室外側に配置されるサッシ部分は、どのような構造であってもよく、従前のカーテンウォールと同じ構造であってもよい。本発明のカーテンウォールは、スパンドレル部を有しないもの（ビジョン部だけのもの）であってもよい。
【符号の説明】
【００２６】
１  方立
２  スチール製縦枠
３  ガラス
４  網入りガラス
５  補強材
３４  スチール製障子
３９  障子
【図１】
2020186574.tif 000003
【図２】
2020186574.tif 000004
【図３】
2020186574.tif 000005
【図４】
2020186574.tif 000006
【図５】
2020186574.tif 000007
【図６】
2020186574.tif 000008
【図７】
2020186574.tif 000009
【図８】
2020186574.tif 000010
【図９】
2020186574.tif 000011
【図１０】
2020186574.tif 000012
【図１１】
2020186574.tif 000013
【図１２】
2020186574.tif 000014
【図１３】
2020186574.tif 000015